(57)【要約】【課題】小形、軽量かつ低コストなポンプ装置を提供すること。【解決手段】気水分離室を吸込室と吐出室の２室で構成し、吸込室には吸込管と接続可能な吸込フランジが直接取り付けられ、吐出室には吐出管と接続可能な給水管接続ねじを設けた。また、吸込室の上部には、自吸運転時に必要である呼び水を入れるための呼び水口を設けた。さらには、吸込室と吸込フランジに挟持するよう揺動自在なる逆流防止用の逆止弁を設け、吸込フランジの流出端側には、逆止弁が装着可能なように円周状の溝と逆止弁の弁体が接触する部分には環状の弁座を設けた。【選択図】図１
2007315216.tif 000002
【特許請求の範囲】
【請求項１】
モータの回転軸がケーシング内に設けられた羽根車を回転させてポンプ作用を行うポンプ部と、前記ポンプ部の上部に配置され自吸運転時に空気と水を分離するための気水分離室を有するポンプ装置において、前記気水分離室は吸込室と吐出室の２室で構成され、吸込室には吸込管と接続可能な吸込フランジが直接取り付けられ、吐出室には吐出管と接続可能な吐出管接続ねじを設けたことを特徴とするポンプ装置。
【請求項２】
請求項１記載のポンプ装置において、
前記吸込室の上部には、自吸運転時に必要である呼び水を入れるための呼び水口を設けたことを特徴とするポンプ装置。
【請求項３】
請求項１と２記載のポンプ装置において、
前記吸込室と吸込フランジに挟持するように、揺動自在なる逆流防止用の逆止弁を設けたことを特徴とするポンプ装置。
【請求項４】
請求項１から３記載のポンプ装置において、
前記吸込フランジの流出端側には、逆止弁が装着可能なように円周状の溝を設け、さらには、逆止弁の弁体が接触する部分には環状の弁座を設けたことを特徴とするポンプ装置。
【発明の詳細な説明】
【技術分野】
【０００１】
本発明は、小形、軽量かつ安価なポンプ装置に関するものである。
【背景技術】
【０００２】
自吸運転時に空気と水を分離するための気水分離室を備えた従来のポンプ装置を図５に示す。気水分離室は吸込室と吐出室からなり、吸込室の上部は開放されており、この開放部から逆止弁を装着することができる。開放部には逆止弁カバーを装着しＯリングにて水封される。逆止弁カバーには逆止弁ガイドが設けられており、この逆止弁ガイドによって逆止弁が上下方向にしか動かないように案内している。
【０００３】
吸込室の逆止弁装着部の下端は水通路を構成するためにパイプ状に伸びており、吸込管と接続可能な吸込フランジを螺着した吸込継手と接続される。
【０００４】
吐出室の上部には、自吸運転時に必要である呼び水を入れる呼び水口が設けられており、その呼び水口は呼び水キャップで閉塞されている。
【０００５】
吐出室の下端は水通路を構成するための吐出パイプが接続され、前記吐出パイプは吐出管と接続可能な吐出フランジを螺着した吐出継手と接続される。
【０００６】
このようなポンプ装置は例えば特開平９−３１７６８０号公報（特許文献１）がある。
【０００７】
【特許文献１】特開平９−３１７６８０号公報
【発明の開示】
【発明が解決しようとする課題】
【０００８】
上記従来のポンプ装置は、吸込フランジから気水分離室の吸込室に至るまでの水通路と、気水分離室の吐出室から吐出フランジに至るまでの水通路が複雑であるため、水通路を構成するために部品点数が多くなっていた。また、気水分離室の吸込室内に逆止弁を装着するため、吸込室上部を開放させる必要があり、逆止弁装着後に逆止弁カバーで開放部を閉塞させる複雑な構造であった。
【０００９】
すなわち、前記した複雑な構造ゆえ部品コストと製造コストが高くなり高価なポンプ装置となっていた。
【００１０】
さらには、部品点数が多いためポンプ装置自体が大形かつ質量が重くなり、取扱性や設置性が悪くなっていた。
【課題を解決するための手段】
【００１１】
本発明は上記課題を解決するために、気水分離室を吸込室と吐出室の２室で構成し、吸込室には吸込管と接続可能な吸込フランジが直接取り付けられ、吐出室には吐出管と接続可能な吐出管接続ねじを設けた。
【００１２】
また、吸込室の上部には、自吸運転時に必要である呼び水を入れるための呼び水口を設けた。
【００１３】
さらには、吸込室と吸込フランジに挟持するように揺動自在なる逆流防止用の逆止弁を設け、吸込フランジの流出端側には、逆止弁が装着可能なように円周状の溝と逆止弁の弁体が接触する部分には環状の弁座を設けた。
【発明の効果】
【００１４】
本発明によると、従来のポンプ装置に比べ、吸込フランジから気水分離室を経て吐出側に至るまでの水通路が簡素化できるため部品点数を大幅に削減することができ、安価なポンプ装置を提供することができる。
【００１５】
また、気水分離室の吸込室に直接吸込フランジが取り付けられ、吐出室には吐出フランジを兼ねた吐出管接続ねじを設けているのでポンプ装置の小形かつ軽量化を図ることができる。
【発明を実施するための最良の形態】
【００１６】
以下、本発明の実施形態を本発明の実施例の図面に沿って説明する。
【００１７】
本発明の実施例を分かり易くするために従来のポンプ装置を対比しながら説明する。
【００１８】
図１から図４は本発明、図５と図６は従来例である。
【００１９】
まず、従来のポンプ装置について図５と図６を引用して説明する。
【００２０】
ポンプ装置は、井戸水等を揚水し、揚水した水を加圧して送水するポンプ部５０とポンプ部５０を回転させるためのモータ７０から成り、モータ７０の上部にはモータ７０を駆動させるための駆動装置８０を搭載している。
【００２１】
ポンプ部５０は、羽根車５１と、この羽根車５１を内置するケーシング５２と、ケーシング５２の前面を閉じるケーシングカバー５３を有する。
【００２２】
ポンプ部５０の上部には、気水分離室５４が備わる。気水分離室５４は吸込室５４（ａ）と吐出室５４（ｂ）から成り、ねじ等でポンプ部５０に固定される。
【００２３】
吸込室５４（ａ）には逆止弁５５が備わる。この逆止弁５５は吸込室５４（ａ）の上部開放部から装着することができ、装着後、吸込室５４（ａ）の上部開放部に逆止弁カバー５６をＯリングを介在させ装着させることにより水封される。
【００２４】
逆止弁カバー５６には逆止弁ガイド５６（ａ）が設けられており、この逆止弁ガイド５６（ａ）によって逆止弁５５が上下方向にしか動かないように案内している。
【００２５】
吸込室５４（ａ）の逆止弁５５装着部の下端は水通路を構成するためにパイプ状に伸びており、吸込管と接続可能な吸込フランジ５７を螺着した吸込継手５８と接続される。
【００２６】
吐出室５４（ｂ）の上部には、呼び水キャップ５９が備わる。この呼び水キャップ５９を外して呼び水を入れる。
【００２７】
吐出室５４（ｂ）の下端は水通路を構成するための吐出パイプ６０が接続され、吐出パイプ６０は吐出管と接続可能な吐出フランジ６１を螺着した吐出継手６２と接続される。
【００２８】
上記従来のポンプ装置の問題点としては、吸込フランジ５７から気水分離室５４の吸込室５４（ａ）に至るまでの水通路と、気水分離室５４の吐出室５４（ｂ）から吐出フランジ６１に至るまでの水通路が複雑であるため、水通路を構成するために部品点数が多くなっていた。
【００２９】
また、気水分離室５４の吸込室５４（ａ）内に逆止弁５５を装着するため、吸込室５４（ａ）上部を開放させる必要があり、逆止弁５５装着後に逆止弁カバー５６で開放部を閉塞させる複雑な構造であった。
【００３０】
すなわち、前記した複雑な構造ゆえ部品コストと製造コストが高くなり高価なポンプ装置となっていた。
【００３１】
さらには、部品点数が多いためポンプ装置自体が大形かつ質量が重くなり、取扱性や設置性が悪くなっていた。
【００３２】
本発明は上記従来のポンプ装置の問題点に鑑み、部品点数を徹底的に減らすことを目的とする。
【００３３】
本発明のポンプ装置を図１から図４を引用して説明する。
【００３４】
本発明のポンプ装置は、従来のポンプ装置と同様にポンプ部１とポンプ部１を回転させるためのモータ２から成り、モータ２の上部にはモータ２を駆動させるための駆動装置３を搭載している。
【００３５】
ポンプ部１は、羽根車２と、この羽根車２を内置するケーシング３と、ケーシング３の前面を閉じるケーシングカバー４を有する。
【００３６】
ポンプ部１の上部には、気水分離室５が備わる。気水分離室５は吸込室５（ａ）と吐出室５（ｂ）から成り、ねじ等でポンプ部１に固定される。
【００３７】
ここまでの構成は従来のポンプ装置とさほど差はない。
【００３８】
本発明の特徴は、前記吸込室５（ａ）に吸込管と接続可能な吸込フランジ６を直接取り付けられる構造とした。
【００３９】
また、吐出室５（ｂ）には従来の吐出フランジを兼ねた吐出管と接続可能な吐出管接続ねじ５（ｃ）を設けた。
【００４０】
さらには、気水分離室５の小形化を図るために、従来のポンプ装置では吐出室上部に備えていた呼び水キャップ８を吸込室５（ａ）の上部に備えた。
【００４１】
ポンプ装置の更なる小形化を図るために、揚水の逆流防止のための揺動自在なる逆止弁７を吸込室５（ａ）と吸込フランジ６に挟持するように設けた。
【００４２】
この逆止弁７を吸込室５（ａ）と吸込フランジ６に挟持するための構造説明を、図３の逆止弁７の構造図と図４の吸込フランジ６の構造図により説明する。
【００４３】
逆止弁７は弁体７（ａ）と弁環７（ｂ）から成る。吸込フランジ６には逆止弁７が装着可能なように円周状の溝６（ａ）が設けられており、この溝６（ａ）に逆止弁７の弁環７（ｂ）が装着される。
【００４４】
また、吸込フランジ６には逆止弁７の弁体７（ａ）と接触する部分に環状の弁座６（ｂ）を設けている。
【００４５】
この構造により、ポンプ停止時は吐出側の圧力により、逆止弁７の弁体７（ａ）が吸込フランジ６の弁座６（ｂ）に密着するよう押し付けられ、揚水の逆流防止が可能となる。
【００４６】
以上、本発明の特徴を述べてきたが、本発明によると従来のポンプ装置に比べ、吸込フランジから気水分離室を経て吐出側に至るまでの水通路が簡素化できるため部品点数を大幅に削減することができ、安価なポンプ装置を提供することができる。
【００４７】
また、気水分離室の吸込室に直接吸込フランジが取り付けられ、吐出室には吐出フランジを兼ねた吐出管接続ねじを設けているのでポンプ装置の小形かつ軽量化を図ることができる。
【図面の簡単な説明】
【００４８】
【図１】本発明の一実施例に係るもので、ポンプ装置の縦断面図である。
【図２】図１の左側面図である。
【図３】逆止弁の正面図と右側面図である。
【図４】吸込フランジの正面図と左側面図である。
【図５】従来例のポンプ装置の縦断面図である。
【図６】図５の右側面図である。
【符号の説明】
【００４９】
１…ポンプ部、５…気水分離室、５（ａ）…吸込室、５（ｂ）…吐出室、５（ｃ）…吐出管接続ねじ、６…吸込フランジ、７…逆止弁。
【図１】
2007315216.tif 000003
【図２】
2007315216.tif 000004
【図３】
2007315216.tif 000005
【図４】
2007315216.tif 000006
【図５】
2007315216.tif 000007
【図６】
2007315216.tif 000008